【手続補正書】
【提出日】平成16年7月15日(2004.7.15)
【手続補正１】
【補正対象書類名】明細書
【補正対象項目名】特許請求の範囲
【補正方法】変更
【補正の内容】
【特許請求の範囲】
【請求項１】
樹脂フィルムからなる支持体上にインク受容層を有するシートに、インクジェット記録方式で印字されたインク層、透明フィルムのラミネート層が順次積層されたインクジェット記録シートにおいて、該インク受容層が鹸化度９０ｍｏｌ％以下のポリビニルアルコールを受容層の塗料固形分中に３重量％から３０重量％含有し、かつ、水不溶性樹脂を５重量％から３０重量％含有することを特徴とするインクジェット記録シート。
【請求項２】
樹脂フィルムからなる支持体上にインク受容層を積層したインクジェット記録用シートであって、インク受容層にインクジェット方式で記録した後、インク受容層表面に透明フィルムをラミネートされるインクジェット記録用シートにおいて、該インク受容層が鹸化度９０ｍｏｌ％以下のポリビニルアルコールを受容層の塗料固形分中に３重量％から３０重量％含有し、かつ、水不溶性樹脂を５重量％から３０重量％含有することを特徴とするインクジェット記録用シート。
【手続補正２】
【補正対象書類名】明細書
【補正対象項目名】０００１
【補正方法】変更
【補正の内容】
【０００１】
【発明の属する技術分野】
本発明は、樹脂フィルムを基材としたインクジェット記録用シートおよびインクジェット記録シートに関し、水性インクによるインクジェット記録方式による画像記録において、インクの吸収が良好でコックリングが無く、インクのにじみが小さく、印字濃度が高く、かつラミネート処理後の耐エッジ浸水性に優れた特性を持つインクジェット記録用シートおよびインクジェット記録シートに関するものである。
【手続補正３】
【補正対象書類名】明細書
【補正対象項目名】０００５
【補正方法】変更
【補正の内容】
【０００５】
【発明が解決しようとする課題】
本発明はインクジェットプリンター、プロッター等のインクジェット記録方式において高品位の画像を高速でプリントすることができ、しかもラミネート処理後の耐エッジ浸水性に優れるインクジェット記録用シートおよびインクジェット記録シートを提供するものである。
【手続補正４】
【補正対象書類名】明細書
【補正対象項目名】０００６
【補正方法】変更
【補正の内容】
【０００６】
【課題を解決するための手段】
すなわち本発明は、樹脂フィルムからなる支持体上にインク受容層を有するシートに、インクジェット記録方式で印字されたインク層、透明フィルムのラミネート層が順次積層されたインクジェット記録シートにおいて、該インク受容層が鹸化度９０ｍｏｌ％以下のポリビニルアルコールを受容層の塗料固形分中に３重量％から３０重量％含有し、かつ、水不溶性樹脂を５重量％から３０重量％（以下「％」はすべて「重量％」である）含有することを特徴とするインクジェット記録シートに関するものである。
また、樹脂フィルムからなる支持体上にインク受容層を積層したインクジェット記録用シートであって、インク受容層にインクジェット方式で記録した後、インク受容層表面に透明フィルムをラミネートされるインクジェット記録用シートにおいて、該インク受容層が鹸化度９０ｍｏｌ％以下のポリビニルアルコールを受容層の塗料固形分中に３重量％から３０重量％含有し、かつ、水不溶性樹脂を５重量％から３０重量％含有することを特徴とするインクジェット記録用シートである。
【手続補正５】
【補正対象書類名】明細書
【補正対象項目名】０００８
【補正方法】変更
【補正の内容】
【０００８】
しかし、本発明者等は、鹸化度９０ｍｏｌ％以下のポリビニルアルコールと水不溶性樹脂を同時にを使用することで塗膜耐水性とラミネート処理後の耐エッジ浸水性が改善されることを見出した。すなわち、前記ポリビニルアルコールは水に溶けやすため、ラミネート処理後、エッジ部からの水分に触れるとその部分で膨潤し、目処めとなってそれ以上の水分の進入を防いでいると考えられる。
また水不溶性樹脂を含有することで印字品位、塗膜耐水性が良好なインクジェット記録用シートおよびインクジェット記録シートを得ることができる。
【手続補正６】
【補正対象書類名】明細書
【補正対象項目名】００２１
【補正方法】変更
【補正の内容】
【００２１】
本発明のインクジェット記録シートはフィルム支持体にインク受容層を塗工乾燥して得たインクジェット記録用シートに、インクジェット記録方式で印字を行い、更にフィルムをラミネートする。通常、透明フィルムの裏面に粘着剤を塗布した粘着ラミネートシートが使用される。
【手続補正７】
【補正対象書類名】明細書
【補正対象項目名】００２４
【補正方法】変更
【補正の内容】
【００２４】
実施例２
実施例１のポリビニルアルコール（ＰＶＡ２１７：鹸化度８８ｍｏｌ％クラレ製）を２８部、水不溶性樹脂：酢酸ビニルエチレン共重合体ラテックス（スミカフレックス４０１：住友化学工業製）を３部に変えた以外は同様にして実施例２のインク受容層塗料を作成し、インクジェット記録用シートを得た。
【手続補正８】
【補正対象書類名】明細書
【補正対象項目名】００２５
【補正方法】変更
【補正の内容】
【００２５】
実施例３
実施例１のポリビニルアルコール（ＰＶＡ２１７：鹸化度８８ｍｏｌ％クラレ製）を、ポリビニルアルコール（ＰＶＡ４２０：鹸化度７９．５ｍｏｌ％クラレ製）に変えた以外は同様にして実施例３のインク受容層塗料を作成し、インクジェット記録用シートを得た。
【手続補正９】
【補正対象書類名】明細書
【補正対象項目名】００２６
【補正方法】変更
【補正の内容】
【００２６】
実施例４
実施例１のポリビニルアルコール（ＰＶＡ２１７：鹸化度８８ｍｏｌ％クラレ製）を、ポリビニルアルコール（ＰＶＡ５０５：鹸化度７３．５ｍｏｌ％クラレ製）に変えた以外は同様にして実施例４のインク受容層塗料を作成し、インクジェット記録用シートを得た。
【手続補正１０】
【補正対象書類名】明細書
【補正対象項目名】００３１
【補正方法】変更
【補正の内容】
【００３１】
比較例５
実施例１のポリビニルアルコール（ＰＶＡ２１７：鹸化度８８ｍｏｌ％クラレ製）をポリビニルアルコール（ＰＶＡ−１２６Ｈ：鹸化度９９．３ｍｏｌ％クラレ製）に変えた以外は同様にして比較例５のインク受容層塗料を作成し、インクジェット記録用シートを得た。
【手続補正１１】
【補正対象書類名】明細書
【補正対象項目名】００３２
【補正方法】変更
【補正の内容】
【００３２】
比較例６
実施例１のポリビニルアルコール（ＰＶＡ２１７：鹸化度８８ｍｏｌ％クラレ製）をポリビニルアルコール（ＰＶＡ−ＣＳＡ：鹸化度９７．５ｍｏｌ％クラレ製）に変えた以外は同様にして比較例６のインク受容層塗料を作成し、インクジェット記録用シートを得た。
【手続補正１２】
【補正対象書類名】明細書
【補正対象項目名】００３３
【補正方法】変更
【補正の内容】
【００３３】
得られた各インクジェット記録用シートにインクジェットプロッター（ＮＯＶＡＪＥＴ  ＩＩＩ  ＥＮＣＡＤ社製）を用いて印字し、インクの乾燥性、印字濃度、にじみ、塗膜耐水性を測定した。
さらに印字したインクジェット記録シートの上にフィルム（アベリー製）をラミネートし、ラミネート処理後耐エッジ浸水性を評価した。
評価は以下の方法で行なった。その結果を表１に示す。
（１）インク乾燥性：インクジェットプロッター（ＮＯＶＡ  ＪＥＴ  ＩＩＩ  ＥＮＣＡＤ社製）を用い、印字したインクが乾燥するまでの時間を測定した。
◎・・・インク乾燥時間が１０分未満であり非常に良好
○・・・インク乾燥時間が１０分以上２０分未満であり良好
△・・・インク乾燥時間が２０分以上３０分未満であり実用上不十分
×・・・インク乾燥時間が３０分以上であり実用上問題有り
（２）印字濃度：インクジェットプロッター（ＮＯＶＡ  ＪＥＴ  ＩＩＩ  ＥＮＣＡＤ社製）を用い、イエロー１００％、マゼンタ１００％、シアン１００％の印字濃度を官能評価した。
◎・・・印字濃度が良好
○・・・若干悪いが実用上問題無し
△・・・実用上不十分
×・・・不良であり実用上問題有り
（３）にじみ：インクジェットプロッター（ＮＯＶＡ  ＪＥＴ  ＩＩＩ  ＥＮＣＡＤ社製）を用い、シアン１００％とマゼンタ１００％の２００％重色印字部分のにじみを官能評価した。
◎・・・にじみがなく良好
○・・・若干悪いが実用上問題無し
△・・・実用上不十分
×・・・不良であり実用上問題有り
（４）塗膜耐水性：サンプルに水を１滴落とした後、塗膜表面を指で擦り、塗膜が剥がれるかどうかを官能評価した。
◎・・・塗膜が剥がれず耐水性に優れる
○・・・塗膜が剥がれる傾向があるものの、実用上問題なし
△・・・塗膜が剥がれ、実用上不十分
×・・・塗膜が極めて剥がれやすく、実用上問題有り
（５）塗膜密着強度：セロテープピックにより、塗膜の密着性を官能評価した。
◎・・・塗膜が剥がれない。
○・・・多少塗膜が剥がれるが実用上、問題ない。
△・・・塗膜が一部剥がれ、実用上不十分
×・・・塗膜が極めて剥がれやすく、実用上問題有り。
（６）ラミネート処理後耐エッジ浸水性：記録シートにラミネートフィルム（アベリー製）を重ね、その上を５ｋｇ重のローラーを５往復させ貼り合わせた後、水に１時間浸漬させ、エッジ部からの浸水状態を官能評価した。
◎・・・にじみがなく良好
○・・・若干悪いが実用上問題無し
△・・・実用上不十分
×・・・不良であり実用上問題有り
【手続補正１３】
【補正対象書類名】明細書
【補正対象項目名】００３５
【補正方法】変更
【補正の内容】
【００３５】
表１からわかるように、実施例により得られたインクジェット記録用シートおよびインクジェット記録シートは、インク吸収性、にじみ、および印字濃度のいずれに関しても非常に優れている。これに対して比較例により得られたインクジェット記録用シートおよびインクジェット記録シートは、耐エッジ浸水性、インク乾燥性およびにじみにおいて良好な結果は得られなかった。
【手続補正１４】
【補正対象書類名】明細書
【補正対象項目名】００３６
【補正方法】変更
【補正の内容】
【００３６】
【発明の効果】
本発明のインクジェット記録用シートおよびインクジェット記録シートは、インクの吸収性、印字乾燥性およびにじみに優れているだけでなく、ラミネート処理後のエッジからの浸水性が良好であるので高品位な画像を屋外で長時間掲示が可能であるという効果を奏する。